(57)【要約】【課題】ユーザを最適撮像位置に誘導して、ユーザが優れた構図の画像を撮像することを効果的に支援する。【解決手段】被写体を撮像する撮像部と、自位置の位置情報を取得する位置情報算出部と、所定の撮影エリアについての最適撮像位置の位置情報を有する撮影場所情報テーブルを読み出して、前記位置情報算出部が取得した自位置の位置情報と前記最適撮像位置の位置情報とに基づいて前記自位置と前記最適撮像位置との位置関係を示す誘導表示のための画像情報を生成する制御部と、前記誘導表示のための画像情報を表示する表示部とを具備したことを特徴とする。【選択図】図１
2010021885.tif 000002
【特許請求の範囲】
【請求項１】
被写体を撮像する撮像部と、
自位置の位置情報を取得する位置情報算出部と、
所定の撮影エリアについての最適撮像位置の位置情報を有する撮影場所情報テーブルを読み出して、前記位置情報算出部が取得した自位置の位置情報と前記最適撮像位置の位置情報とに基づいて前記自位置と前記最適撮像位置との位置関係を示す誘導表示のための画像情報を生成する制御部と、
前記誘導表示のための画像情報を表示する表示部と
を具備したことを特徴とする撮像装置。
【請求項２】
前記撮影場所情報テーブルを記憶する記憶部を有することを特徴とする請求項１に記載の撮像装置。
【請求項３】
前記撮影場所情報テーブルが記憶された記憶媒体から前記撮影場所情報テーブルを読み出して前記制御部に与えるインタフェースを有することを特徴とする請求項１に記載の撮像装置。
【請求項４】
前記表示部は、前記撮像部からの撮像画像上に前記誘導表示をオンスクリーン表示することを特徴とする請求項１に記載の撮像装置。
【請求項５】
自位置の位置情報を取得する位置情報算出手順と、
所定の撮影エリアについての最適撮像位置の位置情報を有する撮影場所情報テーブルを読み出して、前記位置情報算出手順において取得した自位置の位置情報と前記最適撮像位置の位置情報とに基づいて前記自位置と前記最適撮像位置との位置関係を示す誘導表示のための画像情報を生成する手順と、
前記誘導表示のための画像情報を表示する手順と
を具備したことを特徴とする撮像支援方法。
【請求項６】
前記誘導表示のための画像情報を表示する手順は、撮像部からの画像上に前記誘導表示をオンスクリーン表示することを特徴とする請求項５に記載の撮像支援方法。
【発明の詳細な説明】
【技術分野】
【０００１】
本発明は、観光スポット等においてユーザを最適撮像位置に効果的に導いて撮影を支援する撮像装置及び撮像支援方法に関する。
【背景技術】
【０００２】
近年、撮像装置は、撮像性能の向上による高画質化が著しい。更に、撮像装置は高機能化されており、各種付加機能を備えたものもある。例えば、撮像時に撮像場所情報を属性情報等として記録し、画像編集及び画像閲覧の際に撮像場所の情報を利用する技術が広く知られている。
【０００３】
また例えば、特許文献１においては、構図の見本となるお手本画像を表示する機能を有する撮影情報提示システムも提案されている。
【特許文献１】特開２００７−２７９４５号公報
【発明の開示】
【発明が解決しようとする課題】
【０００４】
一般的に、撮像装置は、名所・旧跡等の観光スポットで用いられる機会が多い。しかしながら、同一の観光スポットを繰返し訪れている場合には問題はないが、一般ユーザにとっては、初めて訪れる観光スポットにおいて撮像を行う機会も多い。この場合には、例えお手本画像が表示されたとしても、お手本画像と同じ構図が得られる撮影場所を探すことは困難であることが多い。結局、撮像のベストポジションを知らない一般人にとっては、お手本画像が表示されたとしても有効に利用できるとは限らず、お手本画像と同様の構図の被写体を撮像することができないことがある。
【０００５】
本発明は、最適撮像位置を提示してユーザを最適撮像位置に導くことにより、優れた構図で被写体を撮像することを支援することができる撮像装置及び撮像支援方法を提供することを目的とする。
【課題を解決するための手段】
【０００６】
本発明に係る撮像装置は、被写体を撮像する撮像部と、自位置の位置情報を取得する位置情報算出部と、所定の撮影エリアについての最適撮像位置の位置情報を有する撮影場所情報テーブルを読み出して、前記位置情報算出部が取得した自位置の位置情報と前記最適撮像位置の位置情報とに基づいて前記自位置と前記最適撮像位置との位置関係を示す誘導表示のための画像情報を生成する制御部と、前記誘導表示のための画像情報を表示する表示部とを具備したことを特徴とする。
【発明の効果】
【０００７】
本発明によれば、撮像の最適撮像位置を提示してユーザを最適撮像位置に導くことにより、よりよい撮像を支援することができるという効果を有する。
【発明を実施するための最良の形態】
【０００８】
以下、図面を参照して本発明の実施の形態について詳細に説明する。図１は本発明の一実施の形態に係る撮像装置を示すブロック図である。
【０００９】
図１において、制御部１４は、装置内の各部の動作制御を行う。制御部１４はバス１０を介して各部を制御すると共に、各部のバス１０を介したデータ転送を制御する。
【００１０】
撮像部１１は、被写体の光学像を電気信号に変換して画像信号を出力する。画像信号処理部１３は、撮像部１１からの画像信号に対して所定の画像処理を施して出力する。圧縮/伸張処理部１６は、画像信号処理部１３において処理された画像信号を圧縮して記録部１５に出力することができる。記録部１５は圧縮／伸張処理部１６からの圧縮画像信号を記録すると共に、記録されている圧縮画像信号を圧縮／伸張処理部１６に出力する。圧縮／伸張処理部１６は、記録部１５から読み出された圧縮画像信号を伸長処理して出力する。
【００１１】
表示部１７は、画像信号処理部１３又は圧縮／伸張処理部１６からの画像信号が入力されて、入力された画像信号に基づく静止画像又は動画像を図示しない表示画面上に表示する。また、表示部１７は、制御部１４に制御されて、表示画面上にオンスクリーン表示を行うこともできるようになっている。なお、表示部１７は、ＬＣＤディスプレイ等によって構成するだけでなく、ＬＥＤランプ等によって構成してもよい。画像信号出力Ｉ／Ｆ制御部１８は、画像信号処理部１３又は圧縮／伸張処理部１６からの画像信号又は圧縮画像信号を、図示しない外部機器に出力するためのインタフェース機能を有する。
【００１２】
本実施の形態においては、ユーザに撮影の最適撮像位置を提示するために、位置情報算出部２０が設けられている。位置情報算出部２０は、例えばＧＰＳ（Global Positioning System）を備えており、現在地（自位置）の位置情報（自位置情報）を取得して制御部１４に出力することができる。
【００１３】
また、本実施の形態においては、記録部１５には、名所・旧跡等の観光スポット等における撮影の最適撮像位置の位置情報を複数記録した撮像場所情報テーブルが保持されている。
【００１４】
図２は撮像場所情報テーブルの内容を説明するための説明図である。図２に示すように、撮像場所情報テーブルは最適撮像位置毎のレコードを有しており、各レコードはナンバー（Ｎｏ）、撮影場所、緯度経度による位置情報、及び撮影場所人気ランキングの情報を有する。
【００１５】
図２の撮影場所は、例えば観光スポット等の一般ユーザが撮像する可能性が高いエリアを示しており、このエリア内での最適撮像位置を位置情報によって示している。図２の例では１つの撮影場所に１つの最適撮像位置が登録されている例を示しているが、１つの撮影場所に複数の最適撮像位置が登録されていてもよい。
【００１６】
なお、図２の例は各レコードが予め登録されている撮像場所情報テーブルを示しているが、ユーザ操作によって最適撮像位置を追加登録するようにしてもよい。また、撮影場所情報テーブルに撮影方向の情報を記録してもよい。
【００１７】
制御部１４は位置情報算出部２０からの自位置情報と記録部１５に記録されている位置情報（最適撮像位置情報）との比較によって、自位置が最適撮像位置から所定の距離以内に到達したことを判断する。制御部１４は、自位置が最適撮像位置から所定の距離以内に到達すると、自位置と最適撮像位置との位置関係を示す誘導表示のための画像情報を生成して表示部１７に出力する。表示部１７は、誘導表示を表示画面上に表示することができるようになっている。
【００１８】
なお、制御部１４は、自位置から所定の距離以内に最適撮像位置が複数存在する場合には、撮影場所人気ランキングにより人気がより高いことが示された最適撮像位置を優先的に表示するようにしてもよく、また、自位置に最も近い位置の最適撮像位置を表示してもよい。また、制御部１４は、誘導表示に加えて撮影場所や撮影場所人気ランキング等の情報を表示するようにしてもよい。
【００１９】
操作部１２は図示しないキー等に対するユーザ操作に基づく操作信号を制御部１４に出力する。制御部１４は操作信号に基づいて各部を制御する。外部Ｉ／Ｆ制御部１９は、着脱可能な記録媒体やネットワークとの間でデータの授受を可能にするインタフェースである。着脱可能な記録媒体としてはＳＤカード等の外部記憶媒体が考えられる。制御部１４は、記録部１５に記録された撮像場所情報テーブルを読み出すだけでなく、外部記録媒体に記憶された撮像場所情報テーブルを読み出してもよく、また、ネットワーク経由で撮像場所情報テーブルを取得してもよい。
【００２０】
例えば、ネットワーク上のサーバに撮像場所情報テーブルが格納されている場合には、制御部１４は外部Ｉ／Ｆ制御部１９を介してサーバから撮像場所情報テーブルをダウンロードしてもよい。また、外部Ｉ／Ｆ制御部１９がブルートゥース（Bluetooth）に対応している場合には、制御部１４は、携帯電話によって携帯コンテンツからダウンロードされた撮像場所情報テーブルを、携帯電話の通信機能を利用して、外部Ｉ／Ｆ制御部１９を介して取り込んでもよい。
【００２１】
次に、このように構成された実施の形態の動作について図３及び図４を参照して説明する。図３は実施の形態の動作を説明するためのフローチャートである。図４は誘導表示を説明するための説明図である。
【００２２】
図３のステップＳ１において、位置情報算出部２０は、ＧＰＳを利用して現在地（自位置）の情報を取得する。位置情報算出部２０は例えば所定の周期で自位置の情報を取得している。位置情報算出部２０からの自位置情報は、制御部１４に供給される。
【００２３】
制御部１４は、記録部１５から撮像場所情報テーブルを読み出して検索し（ステップＳ２）、自位置情報と最適撮像位置情報との比較を行う。制御部１４は、撮像場所情報テーブルに登録された最適撮像位置と自位置との距離が所定の距離以内であるか否かを判断する（ステップＳ３）。自位置から所定範囲内に記録部１５の撮像場所情報テーブルに登録された最適撮像位置が存在しない場合には、処理をステップＳ３からステップＳ４に移行して、外部Ｉ／Ｆ制御部１９経由で、撮像場所情報テーブルを取得する。例えば、外部Ｉ／Ｆ制御部１９を介してＳＤカードに記録された撮像場所情報テーブルが読み出される。
【００２４】
制御部１４は、取得した撮像場所情報テーブルを検索して（ステップＳ５）、自位置情報と最適撮像位置情報との比較を行う。制御部１４は、外部Ｉ／Ｆ制御部１９経由で取り込んだ撮像場所情報テーブルに登録された最適撮像位置と自位置との距離が所定の距離以内であるか否かを判断する（ステップＳ６）。
【００２５】
自位置から所定範囲内に、外部Ｉ／Ｆ制御部１９経由で取り込んだ撮像場所情報テーブルに登録された最適撮像位置が存在しない場合には処理を終了する。
【００２６】
ステップＳ３又はステップＳ６において、自位置から所定範囲内に、いずれかの撮像場所情報テーブルに登録された最適撮像位置が存在する場合には、処理をステップＳ７に移行する。ステップＳ７においては、制御部１４は、自位置情報と最適撮像位置情報とから、自位置と最適撮像位置との位置関係を示す誘導表示のための画像情報を生成する。誘導表示のための画像情報は表示部１７に与えられ、表示部１７の表示画面上に誘導表示が表示される（ステップＳ８）。
【００２７】
図４は表示部１７の表示画面３１を示している。図４の例では表示画面３１上に撮像部１１の出力に基づく画像３２が映出されている。画像３２上の上左端には誘導表示３３がオンスクリーン表示されている。なお、画像３２を表示させることなく、表示画面３１上の一部又は全域に誘導表示３３を表示させてもよい。
【００２８】
誘導表示３３は、最適撮像位置３７を中心として、最適撮像位置３７から所定の距離範囲であることを示す円形表示３４を有する。最適撮像位置３７を通過する矢印表示３５は東西南北の北方向を示す。丸印３６は自位置を示す。円形表示３４の下方には距離の縮尺を示す尺度定規表示３８が表示されている。
【００２９】
ユーザは表示部１７の表示画面３１上に表示された誘導表示３３によって、自位置と最適撮像位置３７との位置関係を把握することができる。以後、ステップＳ１〜Ｓ８を繰返して、誘導表示３３を更新する。丸印３６は、ユーザの移動に応じて位置を変える。ユーザは丸印３６が円形表示３４の中心の最適撮像位置３７に到達するように移動すればよく、比較的容易に最適撮像位置３７に到達することができる。
【００３０】
なお、制御部１４は、記憶部１５等から地図情報を読み出すことができる場合には、誘導表示を地図表示上に重ねて表示させることも可能である。
【００３１】
ユーザは最適撮像位置に到達すると、所望の被写体に向かって撮影を行う。なお、同一被写体であっても構図によって撮影方向が異なることが考えられるので、本実施の形態においては撮影方向については指示しないようになっている。なお、上述したように、撮像場所情報テーブルの各最適撮像位置毎に、撮影方向の情報を登録することで、誘導表示３３上に例えば矢印によって撮影方向も示すことができることは明らかである。
【００３２】
このように本実施の形態においては、自位置を取得すると共に、観光スポット等の撮像エリアについて最適撮像位置の位置情報を登録する撮像場所情報テーブルを用いて、自位置と最適撮像位置との位置関係を示す誘導表示を表示させる。これにより、ユーザを最適撮像位置に誘導することができ、ユーザが最適撮像位置で優れた構図の画像を撮像することを効果的に支援することができる。
【００３３】
なお、上記実施の形態で説明した各機能は、ハードウェアを用いて構成してもよく、また、各機能を記載したプログラムをコンピュータに読み込ませてソフトウェアによって実現してもよい。また、各機能は、適宜ソフトウェア、ハードウェアのいずれかを選択して構成するものであってもよい。
【図面の簡単な説明】
【００３４】
【図１】本発明の一実施の形態に係る撮像装置を示すブロック図。
【図２】撮像場所情報テーブルの内容を説明するための説明図。
【図３】実施の形態の動作を説明するためのフローチャート。
【図４】誘導表示を説明するための説明図。
【符号の説明】
【００３５】
１１…撮像部、１４…制御部、１５…記録部、１７…表示部、１９…外部Ｉ／Ｆ制御部、２０…位置情報算出部。
【図１】
2010021885.tif 000003
【図２】
2010021885.tif 000004
【図３】
2010021885.tif 000005
【図４】
2010021885.tif 000006